(57)【要約】【課題】気流の送風対象までの距離が変化しても、送風対象に到達する機能性成分が所望の濃度となるように送風制御することが可能な送風装置を提供する。【解決手段】送風装置は、所定の方向に気流を発生させる送風ファン１９ａと、気流に機能性成分を導入する機能性成分導入部３３と、機能性成分が導入された気流が送風される空間において、気流の送風対象の位置までの距離を検出する距離センサ４１と、送風ファン１９ａの制御と機能性成分導入部３３の制御とを行う制御部２１とを備える。制御部２１は、距離センサ４１で検出した距離情報に基づいて、送風対象に到達する機能性成分の濃度が一定の値となるように、送風ファン１９ａでの気流の風量の制御と、機能性成分導入部３３での機能性成分の導入量の制御の少なくとも一方を行う。【選択図】図４
2020133595.tif 000002
【特許請求の範囲】
【請求項１】
所定の方向に気流を発生させる送風ファンと、
前記気流に機能性成分を導入する機能性成分導入部と、
機能性成分が導入された前記気流が送風される空間において、前記気流の送風対象の位置までの距離を検出する距離検出部と、
前記送風ファンの制御と前記機能性成分導入部の制御とを行う制御部と、
を備え、
前記制御部は、前記距離検出部で検出した距離情報に基づいて、前記送風対象に到達する機能性成分の濃度が一定の値となるように、前記送風ファンでの前記気流の風量の制御と、前記機能性成分導入部での機能性成分の導入量の制御とを行うことを特徴とする送風装置。
【請求項２】
前記空間の温湿度を検出する温湿度検出部をさらに備え、
前記制御部は、前記距離情報と、前記温湿度検出部で検出した温湿度情報とに基づいて、前記送風ファンの制御と前記機能性成分導入部の制御とを行うことを特徴とする請求項１に記載の送風装置。
【請求項３】
前記送風対象の位置までの距離と、前記送風ファンでの前記気流の風量と、前記機能性成分導入部での機能性成分の導入量と、前記空間の温湿度とを組み合わせた複数の送風情報を記憶するとともに、前記送風情報のそれぞれに対応した前記送風対象に到達する機能性成分の濃度に関する制御情報を記憶する記憶部をさらに備え、
前記制御部は、前記記憶部に記憶された前記制御情報から決定される前記送風ファンでの前記気流の風量と、前記機能性成分導入部での機能性成分の導入量とによって制御を行うことを特徴とする請求項２に記載の送風装置。
【請求項４】
前記機能性成分導入部は、複数種類の機能性成分を導入可能に構成され、
前記記憶部は、前記機能性成分導入部での機能性成分の種別情報を含めて組み合わせた前記送風情報および前記制御情報を記憶していることを特徴とする請求項３に記載の送風装置。
【発明の詳細な説明】
【技術分野】
【０００１】
本発明は、居室内の机上あるいは床面に設置され、直接気流による体感温度の低下あるいは室内の空気の循環に使用される扇風機などの送風装置に関し、特に機能性成分を気流内に導入可能な送風装置に関するものである。
【背景技術】
【０００２】
従来、送風装置として、機能性成分の拡散を抑制して所望位置に搬送することが可能な機能性成分搬送装置が開示されている（例えば、特許文献１参照）。
【０００３】
以下、従来の機能成分搬送装置について図７を参照しながら説明する。
【０００４】
図７は、従来の機能性成分搬送装置の概略図を示す。図７に示すように、従来の機能性成分搬送装置Ｓは、層流からなる搬送流Ｈを所定方向に生成する搬送流生成手段と、機能性成分を搬送流内に導入する機能性成分導入手段１０６とを備え、搬送流Ｈにより該機能性成分を所望位置まで搬送する構成である。搬送流生成手段は、気流を発生させる送風機１０１と、複数の気筒１０５及び収束具Ｂを備えて気流を整流する搬送流整流器１０４と、搬送流整流器１０４を所定方向に向ける把持具１０３と、搬送流Ｈの流速を調整する流速調整手段１２１、１２２とを備える。機能性成分導入手段１０６は、機能性成分を空気中に放出させて搬送流の中心寄りに配送される搬送流内Ｎに導入する。これにより、従来の機能性成分搬送装置Ｓは機能性成分の拡散を抑制して所望位置に搬送し得るようにしている。
【先行技術文献】
【特許文献】
【０００５】
【特許文献１】特開２０１５−１６７７９６号公報
【発明の概要】
【発明が解決しようとする課題】
【０００６】
こうした機能性成分搬送装置Ｓでは、機能性成分を所望位置へ拡散を抑制して精度よく搬送することができるものの、所望位置にいる利用者に対して、利用者の意図した濃度の機能性成分を付与できるようにはなっていない。一般的には、機能性成分搬送装置Ｓから出た機能性成分は所望位置が遠くなるほど濃度が落ちるように、機能性成分搬送装置Ｓから利用者までの距離が変化すると、到達する機能性成分の濃度が変わってしまう。このため、機能性成分によって生起させる利用者の心身への影響度合いも異なるものとなってしまうことが懸念される。
【０００７】
そこで本発明は、上記従来の課題を解決するものであり、気流の送風対象までの距離が変化しても、送風対象に到達する機能性成分が所望の濃度となるように送風制御することが可能な送風装置を提供することを目的とする。
【課題を解決するための手段】
【０００８】
そして、この目的を達成するために、本発明に係る送風装置は、所定の方向に気流を発生させる送風ファンと、気流に機能性成分を導入する機能性成分導入部と、機能性成分が導入された気流が送風される空間において、気流の送風対象の位置までの距離を検出する距離検出部と、送風ファンの制御と機能性成分導入部の制御とを行う制御部とを備える。制御部は、距離検出部で検出した距離情報に基づいて、送風対象に到達する機能性成分の濃度が一定の値となるように、送風ファンでの気流の風量の制御と、機能性成分導入部での機能性成分の導入量の制御とを行うことを特徴とするものである。
【発明の効果】
【０００９】
本発明によれば、気流の送風対象までの距離が変化しても、送風対象に到達する機能性成分が所望の濃度となるように送風制御することが可能な送風装置を提供することができる。
【図面の簡単な説明】
【００１０】
【図１】図１は、本実施の形態１に係る送風装置の構成を示す斜視図である。
【図２】図２は、図１の送風装置の構成（分離状態）を示す後方斜視図である。
【図３】図３は、図１の送風装置の構成を示す側面図である。
【図４】図４は、図１の送風装置における制御部の構成を示すブロック図である。
【図５】図５は、図４の記憶部に記憶されたテーブルのデータ構造を示す図である。
【図６】図６は、図４の制御部による処理手順を示すフローチャートである。
【図７】図７は、従来の機能性成分搬送装置の一例を示す概略図である。
【発明を実施するための形態】
【００１１】
本発明に係る送風装置は、所定の方向に気流を発生させる送風ファンと、気流に機能性成分を導入する機能性成分導入部と、機能性成分が導入された気流が送風される空間において、気流の送風対象の位置までの距離を検出する距離検出部と、送風ファンの制御と機能性成分導入部の制御とを行う制御部とを備える。制御部は、距離検出部で検出した距離情報に基づいて、送風対象に到達する機能性成分の濃度が一定の値となるように、送風ファンでの気流の風量の制御と、機能性成分導入部での機能性成分の導入量の制御とを行うことを特徴とするものである。
【００１２】
こうした構成によれば、送風装置は、気流の送風対象（利用者）までの距離が変化しても、気流が送風される空間において利用者に到達する機能性成分が所望の濃度となるように送風制御することができる。このため、機能性成分によって生起させる利用者の心身への影響度合いを一様（利用者が意図する濃度状態）とすることができる。
【００１３】
また、送風装置は、気流が送風される空間の温湿度を検出する温湿度検出部をさらに備え、制御部は、距離情報と、温湿度検出部で検出した温湿度情報とに基づいて、送風ファンの制御と機能性成分導入部の制御とを行うようにしてもよい。このようにすることで、温湿度によって変化する機能性成分の伝達性が制御に反映されるので、気流が送風される空間において利用者に到達する機能性成分の濃度をさらに精度よく制御することができる。
【００１４】
また、送風装置は、送風対象の位置までの距離と、送風ファンでの気流の風量と、機能性成分導入部での機能性成分の導入量と、空間の温湿度とを組み合わせた複数の送風情報を記憶するとともに、送風情報のそれぞれに対応した送風対象に到達する機能性成分の濃度に関する制御情報を記憶する記憶部をさらに備える。そして、制御部は、記憶部に記憶された制御情報から決定される送風ファンでの気流の風量と、機能性成分導入部での機能性成分の導入量とによって制御を行うようにしてもよい。このようにすることで、送風装置は、送風情報に基づいた送風制御を簡易に行うことができる。
【００１５】
また、機能性成分導入部は、複数種類の機能性成分を導入可能に構成され、記憶部は、機能性成分導入部での機能性成分の種別情報を含めて組み合わせた送風情報および制御情報を記憶していてもよい。この場合には、送風装置は、機能性成分の種別に適した送風制御を実行することができる。
【００１６】
以下、本発明の実施の形態について図面を参照しながら説明する。
【００１７】
（実施の形態１）
まず、図１〜図３を参照して、本実施の形態１に係る送風装置１１について説明する。図１は、本実施の形態１に係る送風装置の構成を示す斜視図である。図２は、図１の送風装置の構成（分離状態）を示す後方斜視図である。図３は、図１の送風装置の構成を示す側面図である。
【００１８】
本実施の形態１に係る送風装置１１は、図１に示すように、ボール型ファン１３と、ボール型ファン１３を搭載して設置するための設置台１４とを有して構成される。ボール型ファン１３と設置台１４とは、互いに分離可能であり、それぞれ独立して構成されるが、送風装置１１は、ボール型ファン１３の誘引空気吸込口２２の一つを設置台１４に向けて搭載することで、設置台１４から機能性成分が導入され、機能性成分を有する気流を所望位置に搬送することが可能となっている。
【００１９】
ボール型ファン１３は、図１に示すように、吸込口１６から筐体１２の内部に取り入れた空気を高圧空気に昇圧して、環状の吹出口２０から吹き出す。また、ボール型ファン１３は、吹出口２０から吹き出す空気に誘引されて、複数（本実施の形態では６個）の誘引空気吸込口２２から吸い込まれた空気を、吹出口２０の内側に位置する誘引空気吹出口２４から吹き出す。つまり、ボール型ファン１３は、ボール型ファン１３を設置台１４に搭載した場合に、吹出口２０から吹き出される高圧空気（図３の吹出気流４６）と、誘引空気吹出口２４から吹き出される機能性成分を含む誘引空気（図３の誘引気流４７）とを送風し、機能性成分を有する気流を所望位置に搬送する。
【００２０】
具体的には、ボール型ファン１３では、筐体１２の内部に設けた高圧空気発生部１９（図４参照）を駆動させて空気流を発生させると、高圧空気発生部１９は、吸込口１６から外部の空気を取り入れて送風ファン１９ａ（図４参照）によって昇圧する。そして、高圧空気となった空気（吹出気流４６）は、吹出口２０から送風される。このとき、環状の吹出口２０の内側は負圧となるため、誘引空気吸込口２２から外部の空気が誘引され、誘引された空気（誘引気流４７）は、吹出口２０の内側の誘引空気吹出口２４から送風される。この際、複数の誘引空気吸込口２２から誘引された空気は、内部で混合され、誘引空気吹出口２４の方向に流れを変更された状態で誘引空気吹出口２４からまとまった状態で吹き出される。このため、吹き出された空気は中心部にコア領域が形成されるので、ボール型ファン１３は、直進性に優れ、遠方まで風速の減衰が少なく到達する気流を効率よく生み出すことができる。ここで、高圧空気とは大気圧以上の空気を示すものとする。
【００２１】
また、図１に示すように、ボール型ファン１３は、筐体１２の表面に、操作部４０と、距離センサ４１と、温湿度センサ４２とを有して構成される。また、ボール型ファン１３には、送風装置１１の送風動作を制御する制御部２１（図４参照）が内蔵されている。送風装置１１の制御部２１については後述する。
【００２２】
操作部４０は、利用者が送風装置１１に関する利用者設定情報を入力または選択して設定する表示パネル（およびスイッチ）である。操作部４０は、ボール型ファン１３を設置台１４に搭載した場合、設置台１４と反対側となる位置に設けられている。
【００２３】
利用者設定情報としては、（１）送風装置１１の運転動作指示（運転開始／運転停止）、（２）機能性成分の導入指示（導入開始／導入停止）、（３）導入する機能性成分の種別の選択指示、（４）送風対象の位置に到達させる機能性成分の目標濃度（以下、「送風対象の位置での目標提供濃度」）、（５）機能性成分を含む気流の送風時間、等が挙げられる。ここで、（３）の機能性成分の種別としては、例えば、後述する図５の（ａ）に示すように、３種類の機能性成分（種類Ａ：第一機能性成分３３ａ／種類Ｂ：第二機能性成分３３ｂ／種類Ｃ：第三機能性成分３３ｃ）を設定することが可能である。また、（４）の送風対象の位置での目標提供濃度としては、例えば、後述する図５の（ａ）に示すように、５段階の濃度レベル（レベルＬ１〜レベルＬ５）で設定することが可能である。なお、濃度レベルは、例えば、基準となる濃度（レベルＬ３）に対して、低濃度側に２段階（レベルＬ１、レベルＬ２）と、高濃度側に２段階（レベルＬ４、レベルＬ５）のように設定される。
【００２４】
距離センサ４１は、送風装置１１の前方（吹出気流４６および誘引気流４７の吹き出し方向の空間）の送風対象４９までの距離を計測できるように取り付けられている（図３参照）。距離センサ４１は、ボール型ファン１３の吹出口２０（誘引空気吹出口２４）を挟んで設置台１４と反対側の位置において、吹出口２０と隣接して取り付けられている。
【００２５】
温湿度センサ４２は、送風装置１１の周囲環境（周囲空間）の温度と湿度を感知するセンサである。温湿度センサ４２は、操作部４０の近傍に取り付けられている。
【００２６】
一方、設置台１４は、ボール型ファン１３を搭載可能に構成されており、ボール型ファン１３を搭載した場合に、ボール型ファン１３に対して機能性成分を含む空気を導入するためのものである。設置台１４は、図２に示すように、ボール型ファン１３の筐体１２の外表面と環状に接触して支持する支持部２７と、設置台１４の外部から内部に空気を取り入れる設置台開口部３２と、空気に機能性成分を導入するための機能性成分導入部３３とを有して構成される。
【００２７】
支持部２７は、ボール型ファン１３を搭載する際に、筐体１２の外表面を環状に接触して支持できるように、外形形状を円筒形に構成される。支持部２７は、ボール型ファン１３の誘引空気吸込口２２よりも大きい開口面積を有し、ボール型ファン１３が搭載された場合には、一つの誘引空気吸込口２２と対向し、この誘引空気吸込口２２と連通する状態となる。
【００２８】
設置台開口部３２は、設置台１４からボール型ファン１３に対して機能性成分を含む空気を導入する際に、設置台１４の外部から内部に空気を取り入れる開口部である。
【００２９】
機能性成分導入部３３は、設置台開口部３２から取り込んだ空気に機能性成分を導入するためのものである。機能性成分導入部３３による機能性成分の導入には、公知の技術が使用されればよいので、ここでは詳細な説明を省略するが、例えば、供給カートリッジから導入される機能性成分のガス化あるいは放電によるイオン化によって機能性成分を空気中に放出させて導入する。機能性成分としては、例えば、利用者の眠気を覚ます作用のある香料、あるいは利用者をリラックスさせる効果がある芳香成分などが挙げられる。また、機能性成分導入部３３から導入される機能性成分は一つに限らず、構成上可能な限り複数設けることができる。本実施の形態では、機能性成分導入部３３は、互いに異なる３種類の機能性成分（第一機能性成分３３ａ、第二機能性成分３３ｂ、第三機能性成分３３ｃ）の供給カートリッジを有して構成されるとともに、供給カートリッジを切り替える切替部３４（図４参照）を備えている。つまり、こうした構成により、複数の機能性成分の切り替えだけでなく、複数の機能性成分を交互または同時に導入することも可能となっている。
【００３０】
このように構成することで、設置台１４では、設置台開口部３２から取り込んだ空気に対して、機能性成分導入部３３から機能性成分が導入され、機能性成分が導入された空気はボール型ファン１３の誘引空気吸込口２２の一つに吸い込まれる。そして、ボール型ファン１３では、複数の誘引空気吸込口２２（設置台１４に対向する誘引空気吸込口２２を含む）から誘引された空気（誘引気流４７）が内部で混合され、機能性成分を含む誘引空気として誘引空気吹出口２４からまとまった状態で送風される。
【００３１】
つまり、送風装置１１では、図３に示すように、吹出口２０から吹き出す吹出気流４６と、誘引空気吹出口２４から吹き出す機能性成分を含む誘引気流４７とを用いて送風対象４９に対しての送風が行われる。
【００３２】
次に、送風装置１１の制御部２１について図４、図５を用いて説明する。図４は、図１の送風装置における制御部の構成を示すブロック図である。図５は、図４の記憶部に記憶されたテーブルのデータ構造を示す図である。ここで、図５の（ａ）は、利用者設定情報に基づいたデータベースを特定するためのテーブルである。図５の（ｂ）は、データベースにおいて計測情報に基づいた制御情報を特定するためのテーブルである。
【００３３】
制御部２１は、機能性成分を含む気流を送風する場合、送風対象４９に到達する機能性成分の濃度が一定の値となるように、高圧空気発生部１９（送風ファン１９ａ）での気流の風量の制御と、機能性成分導入部３３での機能性成分の導入量の制御とを行う。
【００３４】
具体的には、制御部２１は、図４に示すように、入力部２１ａと、記憶部２１ｂと、計時部２１ｃと、処理部２１ｄと、出力部２１ｅとを備える。
【００３５】
入力部２１ａは、操作部４０で利用者が設定した利用者設定情報と、距離センサ４１からの距離情報および温湿度センサ４２からの温湿度情報を含む計測情報とを受け付ける。入力部２１ａは、受け付けた利用者設定情報と計測情報とを処理部２１ｄに出力する。
【００３６】
記憶部２１ｂは、機能性成分を含む気流の送風動作を制御するために用いるテーブル情報を記憶する。記憶部２１ｂは、記憶したテーブル情報を処理部２１ｄに出力する。
【００３７】
ここで、テーブル情報には、利用者設定情報に基づいたデータベースを特定するためのテーブル（第１テーブル）と、第１テーブルで特定されたデータベースにおいて、計測情報に基づいた制御情報を特定するためのテーブル（第２テーブル）とが含まれる。
【００３８】
第１テーブルでは、図５の（ａ）に示すように、利用者設定情報のうち、機能性成分の種別（種類Ａ〜種類Ｃ）と送風対象の位置での目標提供濃度（レベルＬ１〜レベルＬ５）とに基づいて、その二つの情報の組み合わせに対応したデータベースを特定することが可能となっている。なお、各組み合せに対するデータベースの総称をデータベースＤＢ（Ｘ−Ｌｉ）と表記する。
【００３９】
第２テーブルでは、図５の（ｂ）に示すように、第１テーブルを用いて特定されたデータベースＤＢ（Ｘ−Ｌｉ）において、三つの計測情報（送風対象までの距離、温度、湿度）に基づいて、その三つの情報の組み合わせに対応した制御情報（送風ファンの風量、機能性成分の導入量）を特定することが可能となっている。なお、データベースＤＢ（Ｘ−Ｌｉ）の第２テーブルは、機能性成分の種別、送風ファン１９ａの風量、機能性成分の導入量、周囲環境の温湿度を各種組み合わせて行う評価試験（およびシミュレーション）において得られる機能性成分の距離分布情報を用いて導出されたものである。
【００４０】
計時部２１ｃは、現在時刻に関する時刻情報を処理部２１ｄに出力する。
【００４１】
処理部２１ｄは、入力部２１ａからの利用者設定情報および計測情報と、記憶部２１ｂからのテーブル情報と、計時部２１ｃからの時刻情報とを受け付ける。処理部２１ｄは、受け付けた各情報（利用者設定情報、計測情報、テーブル情報、時刻情報）を用いて、送風対象４９の位置での目標提供濃度とするための制御情報（送風ファン１９ａの風量、機能性成分の導入量）を特定する。処理部２１ｄは、特定した制御情報を出力部２１ｅに出力する。
【００４２】
制御情報の特定に関して、具体的には、処理部２１ｄは、受け付けた利用者設定情報のうち、機能性成分の種別（種類Ａ〜種類Ｃ）と送風対象の位置での目標提供濃度（レベルＬ１〜レベルＬ５）とに基づいて、第１テーブルを用いて、二つの情報の組み合わせに対応したデータベースＤＢ（Ｘ−Ｌｉ）を特定する。例えば、処理部２１ｄでは、受け付けた利用者設定情報が、機能性成分の種別（種類Ｂ）と送風対象の位置での目標提供濃度（レベル３）とである場合には、この組み合わせに対応するデータベースＤＢ（Ｂ−Ｌ３）を特定する。
【００４３】
次に、処理部２１ｄは、受け付けた三つの計測情報（送風対象までの距離、温度、湿度）に基づいて、先に特定したデータベースＤＢ（Ｂ−Ｌ３）に対応する第２テーブルを用いて、三つの情報の組み合わせに対応した制御情報（送風ファンの風量、機能性成分の導入量）を特定する。例えば、処理部２１ｄでは、受け付けた計測情報が、送風対象までの距離Ａｉと、温度Ｂｉと、湿度Ｃｉとである場合には、これらの組み合わせに対応する制御情報として、風量Ｄｉと機能性成分の導入量Ｅｉとを特定する。
【００４４】
出力部２１ｅは、処理部２１ｄからの制御情報を受け付ける。出力部２１ｅは、高圧空気発生部１９（送風ファン１９ａ）と、機能性成分導入部３３と電気的に接続されている。そして、出力部２１ｅは、受け付けた制御情報に基づいて、高圧空気発生部１９（送風ファン１９ａ）での送風動作（気流の風量）と、機能性成分導入部３３の機能性成分導入動作（機能性成分の導入量）とを制御する信号（制御信号）を出力する。
【００４５】
そして、高圧空気発生部１９（送風ファン１９ａ）と機能性成分導入部３３とは、出力部２１ｅからの信号を受け付け、受け付けた信号に基づいて制御を実行する。
【００４６】
以上のようにして、制御部２１は、送風対象４９に到達する機能性成分の濃度が一定の値となるように、高圧空気発生部１９（送風ファン１９ａ）での気流の風量の制御と、機能性成分導入部３３での機能性成分の導入量の制御とを行う。
【００４７】
次に、制御部２１における制御情報の特定フローに関して、図６を用いて説明する。図６は、図４の制御部による処理手順を示すフローチャートである。なお、以下では、制御部２１が利用者設定情報として操作部４０からの機能性成分の導入指示を受け付け、機能性成分導入モードを開始したとして説明する。
【００４８】
まず、制御部２１は、操作部４０からの利用者設定情報（機能性成分の種別、送風対象の位置での目標提供濃度）を取得する（ステップＳ０１）。また、制御部２１は、各計測器から計測情報（送風対象の位置までの距離、温湿度）を取得する（ステップＳ０２）。また、制御部２１は、記憶部２１ｂに記憶したテーブル情報を読み出して取得する（ステップＳ０３）。
【００４９】
また、制御部２１は、ステップＳ０１で取得した利用者設定情報のうち、機能性成分の種別（種類Ａ〜種類Ｃ）と送風対象の位置での目標提供濃度（レベルＬ１〜レベルＬ５）とに基づいて、ステップＳ０３で取得した第１テーブルを用いて、二つの情報の組み合わせに対応したデータベースＤＢ（Ｘ−Ｌｉ）を特定する。そして、制御部２１は、ステップＳ０２で取得した三つの計測情報（送風対象までの距離、温度、湿度）に基づいて、ステップＳ０３で取得した第２テーブルのうち、先に特定したデータベースＤＢ（Ｘ−Ｌｉ）に対応する第２テーブルを用いて、三つの情報の組み合わせに対応した制御情報（送風ファンの風量、機能性成分の導入量）を特定する（ステップＳ０４）。
【００５０】
そして、制御部２１は、ステップＳ０４で特定した制御情報に基づいた送風制御（高圧空気発生部１９での気流の風量制御、機能性成分導入部３３での機能性成分の導入量制御）を実行する（ステップＳ０５）。
【００５１】
続いて、機能性成分を含む気流の送風を開始してから所定時間Ｔ１が経過した場合（ステップＳ０６のＹｅｓ）には、制御部２１は、機能性成分導入モードを終了させる。一方、機能性成分を含む気流の送風を開始してから所定時間Ｔ１が経過していない場合（ステップＳ０６のＮｏ）には、制御部２１は、新たに計測した計測情報を用いて制御情報を更新して機能性成分導入モードを継続する（ステップＳ０２に戻る）。
【００５２】
以上のようにして、本実施の形態１に係る送風装置１１は、気流の送風対象４９までの距離および気流が送風される空間の温湿度が変化しても、気流が送風される空間において送風対象４９に到達する機能性成分が所望の濃度となるように送風制御する。
【００５３】
以上、本実施の形態１に係る送風装置１１によれば、以下の効果を享受することができる。
【００５４】
（１）送風装置１１は、送風対象４９（利用者）の位置までの距離情報と、気流が送風される空間の温湿度情報とに基づいて高圧空気発生部１９（送風ファン１９ａ）の制御と機能性成分導入部３３の制御を行うようにした。このようにすることで、送風装置１１は、気流の送風対象４９までの距離および温湿度が変化しても、気流が送風される空間において利用者に到達する機能性成分が所望の濃度となるように送風制御することができる。このため、機能性成分によって生起させる利用者の心身への影響度合いを一様（利用者が意図する濃度状態）とすることができる。また、温湿度によって変化する機能性成分の伝達性が制御に反映されるので、距離情報のみで制御する場合に比べて、気流が送風される空間において利用者に到達する機能性成分の濃度を精度よく制御することができる。
【００５５】
（２）送風装置１１は、送風対象４９の位置までの距離と、高圧空気発生部１９（送風ファン１９ａ）での気流の風量と、機能性成分導入部３３での機能性成分の導入量と、空間の温湿度とを組み合わせた複数の送風情報を記憶するとともに、送風情報のそれぞれに対応した送風対象に到達する機能性成分の濃度に関する制御情報を記憶する記憶部２１ｄを備えるようにした。そして、制御部２１は、記憶部２１ｄに記憶された制御情報から決定される高圧空気発生部１９（送風ファン１９ａ）での気流の風量と、機能性成分導入部３３での機能性成分の導入量とを制御を行うようにした。このようにすることで、送風装置１１は、送風情報に基づいた送風制御を簡易に行うことができる。
【００５６】
（３）機能性成分導入部３３は、複数種類の機能性成分を導入可能に構成され、制御部２１（記憶部２１ｄ）は、機能性成分導入部３３での機能性成分の種別情報を含めて組み合わせた送風情報および制御情報を記憶している。このようにすることで、送風装置１１は、機能性成分の種別に適した送風制御を実行することが可能となる。
【００５７】
以上、本開示に関して実施の形態をもとに説明した。これらの実施の形態は例示であり、それらの各構成要素や各処理プロセスの組合せにいろいろな変形例が可能なこと、またそうした変形例も本開示の範囲にあることは当業者に理解されるところである。
【００５８】
本実施の形態に係る送風装置１１では、送風対象４９の位置までの距離情報と、気流が送風される空間の温湿度情報とに基づいて制御情報を特定して送風動作の制御を行うようにしたが、これに限られない。例えば、温湿度情報を用いることなく、送風対象４９の位置までの距離情報のみを用いて制御情報を特定できるようにして送風動作の制御を行うようにしてもよい。この場合にも、送風装置１１は、気流の送風対象４９までの距離が変化しても、気流が送風される空間において利用者に到達する機能性成分が所望の濃度（利用者が意図する濃度状態）となるように送風制御することができるという効果を享受することができる。また、温湿度センサ４２が不要となり、気流が送風される空間において利用者に到達する機能性成分が所望の濃度となるように送風制御することが可能な送風装置１１の低コスト化を図ることができる。
【００５９】
また、本実施の形態に係る送風装置１１では、濃度レベル（レベルＬ１〜レベルＬ５）から選択される濃度を、送風対象４９の位置での目標提供濃度としていたが、これに限られない。例えば、利用者が手動で入力する濃度値を、そのまま送風対象４９の位置での目標提供濃度としてもよい。このようにすることで、気流が送風される空間において利用者に到達する機能性成分の濃度を、利用者が意図する濃度状態により近づけることができる。
【００６０】
また、本実施の形態に係る送風装置１１では、距離センサ４１が計測する送風対象４９の位置までの距離を、距離情報として用いたが、これに限られない。例えば、利用者が手動で入力する概算距離値を、そのまま距離情報としてよい。このようにすることで、距離センサ４１が不要となり、気流が送風される空間において利用者に到達する機能性成分が所望の濃度（利用者が意図する濃度状態）となるように送風制御することが可能な送風装置１１の低コスト化を図ることができる。
【００６１】
また、本実施の形態に係る送風装置１１では、制御部２１が取得する利用者設定情報として、高圧空気発生部１９（送風ファン１９ａ）の風量に関する優先度情報を含めて制御情報を特定するようにしてもよい。なお、優先度情報は、二つの風量から一つの風量を選択する場合に、利用者が小さい風量と大きい風量のどちらを選択するかに関する情報である。このようにすることで、目標提供濃度に対して、風量と機能性成分の導入量とでトレードオフの関係で複数の制御情報が選択可能な場合に、利用者が希望する送風動作となる制御情報を特定することが可能となる。
【００６２】
また、本実施の形態に係る送風装置１１では、データベースＤＢ（Ｘ−Ｌｉ）を含むテーブル情報を設定する際、種類Ａの機能性成分を基準（比重係数１．０）として、種類Ｂの機能性成分の比重係数（例えば、１．５）を設定するようにしてもよい。なお、比重係数は、機能性成分の質量が異なる場合に、同じ風量でも到達位置での機能性成分の濃度が変化してしまうため、同じ風量で送風する際の機能性成分の導入量を調整するための係数である。具体的には、種類Ｂの機能性成分を導入する場合には、種類Ａの機能性成分に対応するデータベースＤＢ（Ｘ−Ｌｉ）を用いて特定される制御情報（風量、機能性成分導入量）を１．５倍する演算を行い、送風装置１１の送風制御を行うことになる。このようにすることで、送風装置１１では、基準となる種類Ａの機能性成分のデータベースＤＢ（Ｘ−Ｌｉ）を作成すれば、他の種類（種類Ｂ、種類Ｃ）の機能性成分のデータベースＤＢ（Ｘ−Ｌｉ）を簡略化することが可能となる。このため、テーブル情報の作成が容易になる。
【００６３】
また、本実施の形態に係る送風装置１１では、制御部２１は、データベースＤＢ（Ｘ−Ｌｉ）の中に、距離センサ４１で計測された距離Ａａに一致する距離データがない場合には、距離Ａａの前後の距離情報を用いて補完演算することによって制御情報を特定するようにしてもよい。
【産業上の利用可能性】
【００６４】
本発明に係る送風装置は、複雑な機構を用いることなくコンパクトな構成で、香料などの機能性成分を含む気流を送風することができるため、居室内の机上、床面などに設置され、直接気流による体感温度の減少あるいは居室の空気の循環に使用される各種送風機器等あるいはアロマディフューザーとして有用である。
【符号の説明】
【００６５】
１１    送風装置
１２    筐体
１３    ボール型ファン
１４    設置台
１６    吸込口
１９    高圧空気発生部
１９ａ    送風ファン
２０    吹出口
２２    誘引空気吸込口
２４    誘引空気吹出口
２７    支持部
３２    設置台開口部
３３    機能性成分導入部
３３ａ    第一機能性成分
３３ｂ    第二機能性成分
３３ｃ    第三機能性成分
３４    切替部
４０    操作部
４１    距離センサ
４２    温湿度センサ
４６    吹出気流
４７    誘引気流
４９    送風対象
１０１    送風機
１０３    把持具
１０４    搬送流整流器
１０５    気筒
１０６    機能性成分導入手段
１２１    流速調整手段
１２２    流速調整手段
【図１】
2020133595.tif 000003
【図２】
2020133595.tif 000004
【図３】
2020133595.tif 000005
【図４】
2020133595.tif 000006
【図５】
2020133595.tif 000007
【図６】
2020133595.tif 000008
【図７】
2020133595.tif 000009